(57)【要約】【課題】容器のコストを抑えつつ、患者や看護者に不快感を与えることなく粘体状の栄養剤を投与できる経管栄養剤セットおよび経管栄養剤の投与方法を提供する。【解決手段】生体内部の消化管に連通された投与手段を通して経管栄養剤Ｆを投与する経管栄養法に使用される経管栄養剤セット１０であって、経管栄養剤セット１０が、消化管内に直接投与される経管栄養剤Ｆと、経管栄養剤Ｆが収容された栄養剤収容室11aを備えた容器１１とからなり、容器１１が、投与手段に接続され、投与手段と栄養剤収容室11a内との間を連通させる供給部１２と、栄養剤収容室11a内に加圧空気を供給するための加圧部１３とを備えている。【選択図】図１
2005342429.tif 000002
【特許請求の範囲】
【請求項１】
生体内部の消化管に連通された投与手段を通して経管栄養剤を投与する経管栄養法に使用される経管栄養剤セットであって、
該経管栄養剤セットが、消化管内に直接投与される経管栄養剤と、該経管栄養剤が収容された栄養剤収容室を備えた容器とからなり、
該容器が、
前記投与手段に接続され、前記投与手段と前記栄養剤収容室内との間を連通させる供給部と、
該栄養剤収容室内に加圧空気を供給するための加圧部とを備えている
ことを特徴とする経管栄養剤セット。
【請求項２】
前記容器が、前記栄養剤収容室の圧力を一定の圧力以下に保つ圧力調整部を備えている
ことを特徴とする請求項１記載の経管栄養剤セット。
【請求項３】
前記容器に、前記栄養剤収容室と外部との間を連通させる連通口が形成されており、
該容器が、前記連通口を気密に密封する密封機構を備えている
ことを特徴とする請求項１または２記載の経管栄養剤セット。
【請求項４】
前記経管栄養剤が、健常者が摂取する食材を破砕して形成された粘体状食材である
ことを特徴とする請求項１、２または３記載の経管栄養剤セット。
【請求項５】
前記粘体状食材が、破砕された食材に、アミラーゼを含む消化剤を含有させて形成されている
ことを特徴とする請求項４記載の経管栄養剤セット。
【請求項６】
前記容器の栄養剤収容室内において、前記供給部と前記加圧部との間に前記供給部に向って接近離間可能な隔離部材が設けられており、
該隔離部材が、
前記栄養剤収容室内に加圧空気が供給されると、前記供給部を通過する経管栄養剤の流れの方向に沿って移動して前記供給部に接近するように配設されている
ことを特徴とする請求項１、２、３、４または５記載の経管栄養剤セット。
【請求項７】
粘体状の経管栄養剤が収容された容器から、生体内部の消化管に前記経管栄養剤を投与するための投与方法であって、
前記容器内に、直接空気を供給する
ことを特徴とする経管栄養剤の投与方法。
【請求項８】
粘体状の経管栄養剤が収容された容器から、生体内部の消化管に前記経管栄養剤を投与するための投与方法であって、
加圧空気が供給されると膨らむ加圧用袋と、該加圧用袋の外面に設けられ、該加圧用袋の外面との間に物体を挟んで保持する保持部とを備えた加圧装置において、前記加圧用袋の外面と前記保持部との間に前記容器を配置し、前記加圧用袋に加圧空気を供給する
ことを特徴とする経管栄養剤の投与方法。
【発明の詳細な説明】
【技術分野】
【０００１】
意識障害、拒食、重度の誤嚥、誤嚥性肺炎、食事量の不足等の障害や疾患など何らかの原因で水分や栄養を経口摂取することが困難であったり、また、経口摂取のみでは十分な水分・栄養がとれない患者には、経静脈的栄養法や経鼻経管栄養法、間歇的経口経管栄養法、食道瘻・胃瘻・腸瘻等の外瘻を介した経管栄養法といった代償的栄養法により水分・栄養を摂取させており、かかる水分や栄養の補給には、通常、事前に調製された栄養剤が使用される。
本発明は、水分や栄養を経口摂取することが困難な患者に、栄養・水分を経管栄養法によって補給するために使用される栄養剤セットおよび栄養剤の投与方法に関する。
【背景技術】
【０００２】
従来から、経静脈的栄養法および経管栄養法のいずれの場合も、患者に栄養を供給する場合には、液体状の薬剤や静脈栄養剤等が使用されており、通常、経静脈的栄養法では点滴用のチューブを介して患者の静脈に供給され、経管栄養法では外瘻に接続されたチューブを介して胃等の消化管に栄養剤が供給される。
しかるに、従来のいずれの方法でも、薬液や静脈栄養剤等は重力による滴下によってバッグから静脈等に供給されているため、バッグをチューブが取り付けられた位置よりも高い位置に保持しておく必要がある。そして、薬液や静脈栄養剤等の投与には非常に時間がかかるため、その間は、トイレに行くときであっても、常にバッグを高い位置に保持しなければならず、患者にとって非常に不自由な状態となる。
【０００３】
かかる問題を解決する技術として、従来例１、２の技術が開発されている（特許文献１、２）。
従来例１、２の技術は、経静脈的栄養法による薬液の投与に使用される容器であって、隔壁によって隔離された２つの室を有している。そして、この容器は、一方の室内に薬液が封入されており、他方の室には空気が供給できるように構成されている。このため、空気室に加圧空気を供給すれば、その空気の圧力によって薬液を加圧することができ、薬液を押すことができる。すると、容器の位置にかかわらず、容器から静脈に向けて薬液を供給することができる。
【０００４】
しかるに、従来例１、２の技術では、容器内を２つの室を隔壁によって分離する必要があるので、容器の構造が複雑になるし、また、容器の製造コストが高くなる。また、容器は使い捨てであるが、薬液は少なくとも１日に３回投与されるため、容器のコストが高くなれば、患者の負担が非常に重くなる。
【０００５】
上記のごとく、経静脈的栄養法における患者の負担を軽減するための容器は開発されているが、経管栄養法における患者の負担を軽減するための容器は、現在のところ開発されていない。
【０００６】
【特許文献１】特開平８−３３６５７３号公報
【特許文献２】特開２０００−４２０８８号公報
【発明の開示】
【発明が解決しようとする課題】
【０００７】
本発明はかかる事情に鑑み、容器のコストを抑えつつ、患者や看護者に不快感を与えることなく粘体状の栄養剤を経管栄養法によって投与できる経管栄養剤セットおよび経管栄養剤の投与方法を提供することを目的とする。
【課題を解決するための手段】
【０００８】
第１発明の経管栄養剤セットは、生体内部の消化管に連通された投与手段を通して経管栄養剤を投与する経管栄養法に使用される経管栄養剤セットであって、該経管栄養剤セットが、消化管内に直接投与される経管栄養剤と、該経管栄養剤が収容された栄養剤収容室を備えた容器とからなり、該容器が、前記投与手段に接続され、前記投与手段と前記栄養剤収容室内との間を連通させる供給部と、該栄養剤収容室内に加圧空気を供給するための加圧部とを備えていることを特徴とする。
第２発明の経管栄養剤セットは、第１発明において、前記容器が、前記栄養剤収容室の圧力を一定の圧力以下に保つ圧力調整部を備えていることを特徴とする。
第３発明の経管栄養剤セットは、第１または２発明において、前記容器に、前記栄養剤収容室と外部との間を連通させる連通口が形成されており、該容器が、前記連通口を気密に密封する密封機構を備えていることを特徴とする。
第４発明の経管栄養剤セットは、第１、２または３発明において、前記経管栄養剤が、健常者が摂取する食材を破砕して形成された粘体状食材であることを特徴とする。
第５発明の経管栄養剤セットは、第４発明において、前記粘体状食材が、破砕された食材に、アミラーゼを含む消化剤を含有させて形成されていることを特徴とする。
第６発明の経管栄養剤セットは、第１、２、３、４または５発明において、前記容器の栄養剤収容室内において、前記供給部と前記加圧部との間に前記供給部に向って接近離間可能な隔離部材が設けられており、該隔離部材が、前記栄養剤収容室内に加圧空気が供給されると、前記供給部を通過する経管栄養剤の流れの方向に沿って移動して前記供給部に接近するように配設されていることを特徴とする。
第７発明の経管栄養剤の投与方法は、粘体状の経管栄養剤が収容された容器から、生体内部の消化管に前記経管栄養剤を投与するための投与方法であって、前記容器内に、直接空気を供給することを特徴とする。
第８発明の経管栄養剤の投与方法は、粘体状の経管栄養剤が収容された容器から、生体内部の消化管に前記経管栄養剤を投与するための投与方法であって、加圧空気が供給されると膨らむ加圧用袋と、該加圧用袋の外面に設けられ、該加圧用袋の外面との間に物体を挟んで保持する保持部とを備えた加圧装置において、前記加圧用袋の外面と前記保持部との間に前記容器を配置し、前記加圧用袋に加圧空気を供給することを特徴とする。
【発明の効果】
【０００９】
第１発明によれば、加圧部から加圧空気を供給すれば、加圧空気の圧力によって経管栄養剤を加圧することができる。すると、経管栄養剤を供給部から投与手段に供給でき、投与手段から消化管内に供給することができる。しかも、加圧空気によって経管栄養剤を直接加圧するため、栄養剤収容部内に隔壁などを設けなくてもよいので、容器の構造を簡単にすることができ、容器の製造コストも低減することができる。
第２発明によれば、栄養剤収容部内の圧力を一定以下に保つことができるから、栄養剤収容部内から投与手段、つまり、消化管内に供給される経管栄養剤の流速を一定の速度以下に保つことができるから、患者に負担がかかることを防ぐことができる。
第３発明によれば、連通口から栄養剤を栄養剤収容部内に供給することができるから、所望の栄養剤を投与することができる。そして、密封機構によって連通口を気密に密封すれば、栄養剤収容部内に加圧空気を加えても、その空気が連通口から漏れることを防ぐことができる。
第４発明によれば、粘体状食材が、健常者が摂取する食材を破砕して形成しているから、一般家庭でも簡単に作ることができ、自宅での療養を可能とすることができる。
第５発明によれば、粘体状食材が、破砕された食材にアミラーゼを含む消化剤を含有させているから、澱粉を含む食材であっても、直接消化管に投与することができる。すると、粘体状食材を作るときに、食材に澱粉が含まれているか否かを考えなくてもよいので、一般家庭でも粘体状食材を簡単かつ安心して作ることができる。
第６発明によれば、加圧空気を供給すると、隔離部材が供給部に接近するから、経管栄養剤を加圧することができる。そして、隔離部材が、供給部に接近するときに、供給部を通過する経管栄養剤の流れの方向に沿って移動するように配設されているから、経管栄養剤をスムースに供給部から押し出すことできる。
第７発明によれば、加圧空気を供給すれば、加圧空気の圧力によって経管栄養剤を加圧することができるから、経管栄養剤を容器から消化管内に供給することができる。しかも、加圧空気によって経管栄養剤を直接加圧するため、容器を特別な構造とする必要がなく、容器の製造コストも低減することができる。そして、経管栄養剤の投与に特別な装置が不要であるから、場所を問わず経管栄養剤の投与を行うことができる。
第８発明によれば、加圧用袋に加圧空気を供給すると、加圧用袋が膨らんで、容器が保持部に押し付けられ、外部から加圧されることになる。すると、経管栄養剤を加圧することができるから、経管栄養剤を容器から消化管内に供給することができる。
【発明を実施するための最良の形態】
【００１０】
つぎに、本発明の実施形態を図面に基づき説明する。
図１の（Ａ）は本実施形態の経管栄養剤セット１０の概略説明図であり、（Ｂ）は圧力調整部１４を備えた経管栄養剤セット１０の概略説明図である。同図に示すように、経管栄養剤セット１０は、生体の消化管に直接投与される経管栄養剤Ｆと、この経管栄養剤Ｆを収容した容器１１とから構成されている。
【００１１】
経管栄養剤Ｆは、例えば、1,000〜60,000ミリパスカル秒、好ましくは5,000〜30,000ミリパスカル秒程度の粘度となるように調製されたものであり、基本的には、栄養成分を含む主剤と、この主剤に粘度を付与するための増粘剤とから構成されている。主剤は、例えば、医薬品として認可された経腸栄養剤や医薬品として認可を受けていない市販の流動食等である。増粘剤は、例えばグアーガム、カラギーナン、カルボキシメチルセルロース、キサンタンガム，フェヌグリークガム、キチン、キトサン、ポビドン、ヒドロキシプロピルセルロース、ゼラチン等のうち一種又は二種以上を組み合わせたものであるが、特に限定はない。
なお、経管栄養剤Ｆは、所定の粘度となるのであれば、増粘剤を含まないものでもよい。
【００１２】
図１に示すように、容器１１は、その内部に、前記経管栄養剤Ｆを収容する中空な栄養剤収容室11aを備えている。この容器１１の下端には、供給部１２が液密かつ気密に取り付けられている。この供給部１２は、例えば、栄養剤収容室11a内部と外部との間を連通させる図示しない連通通路が設けられた管状の部材である。
また、容器１１の上部には、加圧部１３が液密に取り付けられている。この加圧部１３には、栄養剤収容室11a内部と外部との間を連通させる図示しない空気通路が設けられている。
【００１３】
このため、加圧部１３の空気通路を通して、加圧空気を容器１１の栄養剤収容室11a内に供給すれば、加圧空気の圧力によって栄養剤収容室11a内の経管栄養剤Ｆを加圧することができる。そして、経管栄養剤Ｆに加わる圧力が外部の気圧よりも高くなっていれば、供給部１２の連通通路を通して、経管栄養剤Ｆは容器１１の栄養剤収容室11aから外部に排出されるのである。
なお、加圧部１３を設ける位置やその構造は特に限定されないが、供給部１２から離れた位置に配設すると、効果的に経管栄養剤Ｆを加圧でき、効果的に供給部１２から経管栄養剤Ｆを排出できるので、好適である。
【００１４】
つぎに、本実施形態の経管栄養剤セット１０を使用して、生体に経管栄養剤Ｆを投与する方法について説明する。
図２は本実施形態の経管栄養剤セット１０を使用して経管栄養剤Ｆを投与する作業の概略説明図である。同図において、符号２は、一端が食道または胃、腸等の消化管（以下、胃等という）に配置され、他端が人体の外部に配置されたチューブを示している。このチューブ２は、経鼻・経口経管栄養法の場合には口又は鼻から挿入され、胃瘻等経管栄養法の場合には胃等に造設された外瘻３に留置される。このチューブ２および外瘻３が、特許請求の範囲にいう投与手段である。
なお、胃瘻等経管栄養法を採用した場合には、造設された外瘻３に留置されるチューブ２の長さが短くなるため、チューブ２内に残留する経管栄養剤の量を少なくできるので、経管栄養剤Ｆを効率よく使用することができ、チューブ２の洗浄作業が容易になる。
【００１５】
本実施形態の経管栄養剤セット１０を使用して、経管栄養剤Ｆを人体の消化管に投与する場合、まず、経管栄養剤セット１０の容器１１の供給部１２を、人体に留置されているチューブ２の他端に液密に取り付ける。
ついで、容器１１の加圧部１３を、加圧空気供給手段１５のチューブ１７を介して手動のポンプや電動ポンプ等の加圧空気供給手段１５の加圧空気供給器１６に接続する。
この状態から、加圧空気供給器１６によって加圧空気を加圧部１３を通して容器１１の栄養剤収容室11a内に供給すれば、経管栄養剤Ｆが供給部１２の連通通路を通して、チューブ２内に供給される。そして、加圧空気供給器１６によって加圧空気を連続して供給すれば、経管栄養剤Ｆが連続してチューブ２内に供給されるから、チューブ２から消化管内に経管栄養剤Ｆが供給されるのである。
【００１６】
なお、加圧部１３に、栄養剤収容室11a内の空気等が逆流することを防ぐ逆止弁を設けてもよい。この場合、加圧空気供給器１６が手動ポンプ等としたときのように、加圧空気が間欠的に供給される場合であっても、栄養剤収容室11a内の圧力変動を小さくすることができるし、加圧空気が供給されていないときに、栄養剤収容室11a内の空気や経管栄養剤Ｆが加圧部１３を通ってチューブ１７等に逆流することを防ぐことができる。
【００１７】
また、図１（Ｂ）のように、容器１１に、栄養剤収容室11a内の圧力を、例えば、大気圧に対して３００ｍｍＨｇ以上とならないように調整する、減圧弁等の圧力調整部１４を設けておけば、消化管内への経管栄養剤Ｆの投与速度が所定の速度以上となることを防ぐことができるから、患者に負担がかかることを防ぐことができる。
なお、圧力調整部１４を設ける位置やその構造は特に限定されず、加圧部１３に設けてもよい。
【００１８】
なお、経静脈的栄養法の場合には、栄養剤に雑菌が混入した場合、カテーテル感染や敗血症等の問題が生じるため、必ず栄養剤は密封された状態でかつ外気に触れないように投与する必要があるが、経管栄養法の場合、投与する栄養剤に大気中に存在する雑菌が混入したとしても特別な問題が生じることがないでの、本願のごとく、経管栄養剤Ｆを直接加圧空気によって加圧することができるのである。
そして、加圧空気によって経管栄養剤Ｆを直接加圧するような構成とすれば、容器１１の栄養剤収容部11a内を、経管栄養剤Ｆを収容する室と、加圧空気が供給される室とを隔離する隔壁等を設けなくてもよいので、容器１１の構造を簡単にすることができ、容器１１の製造コストも低減することができる。
【００１９】
なお、容器１１の栄養剤収容部11a内に隔壁を設けてもよいが、経管栄養剤Ｆの粘度が1,000〜60,000ミリパスカル秒となるように調製されたものである場合には、以下のごとき構成とするのが好適である。
図４において、符号11cは、容器１１の栄養剤収容部11a内に設けられた隔離部材を示している。この隔離部材11cは、供給部１２と加圧部１３との間において、液密かつ気密に栄養剤収容部11aを分離するように設けられている。この隔離部材11cは、供給部１２に対して接近離間可能に設けられており、容器１１の栄養剤収容部11a内に経管栄養剤Ｆが充填された状態では、供給部１２から離間した状態となり（図４（Ａ））、かつ、加圧部１３から加圧空気が供給されると供給部１２を通過する経管栄養剤Ｆの流れの方向（図４（Ｂ）では矢印ａの方向）に沿って移動するように配設されている。
このため、加圧部１３から加圧空気が供給されると、隔離部材11cが供給部１２に向って、供給部１２を通過する経管栄養剤Ｆの流れの方向に沿って移動して、経管栄養剤Ｆを加圧するから、隔離部材11cによって、経管栄養剤Ｆをスムースに供給部１２から押し出すことできる。
とくに、隔離部材11cを、容器１１の栄養剤収容部11a内に経管栄養剤Ｆが充填された状態では、供給部１２が設けられている部分と反対側の栄養剤収容部11aの内面に沿って配置されるような形状としておけば（図４（Ａ））、隔離部材11cを設けたことによって栄養剤収容部11a内に充填できる経管栄養剤Ｆの量が減ることを防ぐことができる。
【００２０】
また、図３に示すように、容器１１を、その切り離し部11dを切り取ることによって栄養剤収容室11aと外部との間を連通させる連通口11bが形成されるように構成しておけば、容器１１の栄養剤収容室11aに、別途調製した経管栄養剤Ｆである粘体状食材ＭＦを投入することができる。すると、容器１１の連通口11bを、例えば、ヒートシールやクリップ等の密封部材２５によって気密に密封すれば、加圧部１３から加圧空気を供給しても、その加圧空気や粘体状食材ＭＦが連通口11bから漏れることを防ぐことができる。すると、連通口11bから所望の栄養剤を容器１１の栄養剤収容室11aに入れれば、所望の栄養剤を患者に投与することができる。
【００２１】
しかも、粘体状食材ＭＦは、患者に投与する直前に調製すればよくなり、粘体状食材ＭＦの保存性を考慮しなくてもよくなるし、健常者が摂取する食材であっても、その食材を、例えばミキサーなどによって破砕し、適宜増粘剤を添加して所定の粘度に調製しさえすれば、患者に摂取させることができるから、一般家庭でも簡単に作ることができ、自宅での療養を可能とすることができる。
とくに、破砕された食材にアミラーゼを含むジアスターゼ等の消化剤を含有させて粘体状食材ＭＦとすれば、本来なら口腔内で咀嚼時に唾液によって消化される澱粉を含む、例えば、ご飯や芋などの穀物類などが材料に含まれていても、アミラーゼが澱粉を分解するので、直接胃に投与することができる。すると、粘体状食材ＭＦを作るときに、食材に澱粉が含まれているか否かを考えなくてもよいので、一般家庭でも粘体状食材ＭＦを安心して作ることができる。
そして、粘体状食材ＭＦの粘度を投与する直前に自由に変えることができるから、患者の体調などにあわせて最適な粘度を有する粘体状食材ＭＦを投与することができる。
なお、胃よりも下流側に当たる腸に直接粘体状食材ＭＦを投与する場合には、アミラーゼだけでなく、例えば、タンパク質や脂肪等の各種物質を分解する酵素を粘体状食材ＭＦに含有させておけば、粘体状食材ＭＦに含まれる各種物質の分解が進んだ状態で、患者に投与することができるから、患者の各種栄養の吸収が容易になり、また、腸等に負担がかかることを防ぐことができる。
【００２２】
上記の密封部材２５が、特許請求の範囲にいう密封機構であるが、密封機構は、連通口11bを気密かつ液密に密封することができる構成であればよく、特に限定はない。
そして、密封機構を、キャップの開閉により外部と容器１１の栄養剤収容室11aとの間を連通したり密封したりできる、例えば、スパウト構造等とすれば、特別に連通口11bを設けなくてもよいので、好適である。
さらになお、連通口11bは、後で密封できるのであれば、どのような方法によって形成してもよく、とくに限定はない。
【００２３】
また、本実施形態の経管栄養剤セット１０や口栓付きソフトバッグ等に収容された市販の粘体状の栄養剤（以下、経管栄養剤セット１０等という）を、以下のごとき、加圧装置２０によって加圧して、粘体状の経管栄養剤Ｆを投与することも可能である。
図５に示すように、加圧装置２０は、中空な袋である加圧用袋２１と、この加圧用袋２１の外面に設けられた、例えば網等の保持部２４とを備えている。加圧用袋２１は、チューブ２３を介して手動のポンプや電動ポンプ等の加圧空気供給器２２に接続されており、加圧空気が供給されると膨らむように形成されている。また、保持部２４は、その内面と加圧用袋２１の外面との間に隙間ができ、その間に物体を挟んで保持できるように取り付けられている。
この加圧装置２０の保持部２４の内面と加圧用袋２１の外面との間に経管栄養剤セット１０等を配置し（図５（Ａ）、（Ｂ））、その状態で、加圧空気供給器２２から加圧用袋２１に加圧空気を供給すれば加圧用袋２１が膨らむから、経管栄養剤セット１０等が加圧用袋２１の外面によって保持部２４に押し付けられて加圧される（図５（Ｃ））。すると、その加圧力によって、経管栄養剤セット１０等から経管栄養剤Ｆが押し出されるから、チューブ２を通して、経管栄養剤Ｆを患者に投与することができる。
【産業上の利用可能性】
【００２４】
本発明の経管栄養剤セットは、粘体状の経管栄養剤を患者に投与することに非常に適しており、看護者の負担も非常に軽減することができる。
【図面の簡単な説明】
【００２５】
【図１】（Ａ）は本実施形態の経管栄養剤セット１０の概略説明図であり、（Ｂ）は圧力調整部１４を備えた経管栄養剤セット１０の概略説明図である。
【図２】本実施形態の経管栄養剤セット１０を使用して経管栄養剤Ｆを投与する作業の概略説明図である。
【図３】連通口11bを備えた経管栄養剤セット１０の概略説明図であり、（Ａ）は切り離し部11dを切り離す前の状態の説明図であり、（Ｂ）は連通口11bから粘体状食材ＭＦを投入するときの説明図であり、（Ｃ）は粘体状食材ＭＦを人体に投与するときの説明図である。
【図４】他の経管栄養剤セット１０の概略断面図であり、（Ａ）は経管栄養剤Ｆが充填された状態であり、（Ｂ）は栄養剤収容室11aから経管栄養剤Ｆが排出されている状態であり、（Ｃ）は全ての経管栄養剤Ｆが栄養剤収容室11aから排出された状態である。
【図５】（Ａ）は加圧装置２０に経管栄養剤セット１０を取り付けた状態の説明図であり、（Ｂ）は加圧用袋２１に加圧空気を供給する前の状態の説明図であり、（Ｃ）は加圧用袋２１に加圧空気を供給した状態の説明図である。
【符号の説明】
【００２６】
２        チューブ
３        外瘻
１０        経管栄養剤セット
１１        容器
１１ａ      栄養剤収容室
１１ｂ      連通口
１１ｃ      隔離部材
１２        供給部
１３        加圧部
１４        圧力調整部
２０        加圧装置
２１        加圧用袋
２４        保持部
【図１】
2005342429.tif 000003
【図２】
2005342429.tif 000004
【図３】
2005342429.tif 000005
【図４】
2005342429.tif 000006
【図５】
2005342429.tif 000007